(57)【要約】      （修正有）【課題】監視のための処理負荷を増やすことなくタッチパネル式の表示部の動作異常を早期に復帰させる電子機器を提供する。【解決手段】画像形成装置は、操作部４７において、タッチパネル式の表示部４７３と、主制御部１００と、表示部に表示されたキーの押下を検出してキー押下信号をパネル制御部４７２及び切換回路４７４に出力するキー検出回路４７１と、キー検出回路から受信したキー押下信号を主制御部に出力するパネル制御部と、通常動作モード時にのみキー押下信号を主制御部に出力する切換回路とを備える。主制御部は、キー押下信号を切換回路から受信した場合に、パネル制御部に監視信号を出力して、当該監視信号に対する応答信号をパネル制御部から受信しなければ、パネル制御部を再起動させる。【選択図】図３
2018041175.tif 000002
【特許請求の範囲】
【請求項１】
タッチパネル機能を有する表示部と、
前記表示部に画像として表示された各キーに対するタッチ操作の有無を検出し、タッチ操作を検出した場合には、当該タッチ操作が行われたキーを示すキー押下信号を出力するキー検出回路と、
前記キー検出回路から受け取ったキー押下信号を出力するパネル制御部と、
前記表示部の画面表示を制御すると共に、受信した前記キー押下信号に従った動作を本電子機器に行わせる主制御部と、
前記パネル制御部及び前記キー検出回路から出力される前記キー押下信号を受信すると共に、本電子機器の動作状態を示すモード信号を前記パネル制御部から受け取り、当該モード信号がスリープモードを示すときは、前記パネル制御部から出力される前記キー押下信号を前記主制御部に出力して、前記キー検出回路から出力される前記キー押下信号を前記主制御部に出力せず、当該モード信号が通常動作モードを示すときは、前記パネル制御部及び前記キー検出回路から出力される両方の前記キー押下信号を前記主制御部に出力する切換を行う切換回路とを備え、
前記主制御部は、前記切換回路から前記キー押下信号を受信したときに、前記パネル制御部に対して即座に監視信号を出力し、当該監視信号に対する応答信号を前記パネル制御部から受信しないときは、前記パネル制御部にリセット信号を出力し、当該監視信号に対する応答信号を前記パネル制御部から受信したときは、前記受信した前記キー押下信号に従った動作を本電子機器に行わせ、
前記パネル制御部は、前記主制御部から前記リセット信号を受信した時には再起動動作を行う電子機器。
【請求項２】
前記パネル制御部が出力する前記キー押下信号は、前記キー検出回路が出力する前記キー押下信号とはパルス幅の異なる波形からなる信号とされ、
前記主制御部は、前記切換回路から前記キー押下信号を受信したとき、前記パネル制御部に対する前記監視信号の出力及び前記応答信号の受信有無判断の処理を行わず、当該受信した前記キー押下信号のパルス幅に基づいて、前記キー押下信号が前記パネル制御部からのものであると判断した場合は、前記キー押下信号に従った動作を本電子機器に行わせ、前記キー押下信号が前記キー検出回路からのものであると判断した場合は、前記パネル制御部にリセット信号を出力する請求項１に記載の電子機器。
【請求項３】
請求項１又は請求項２に記載の電子機器と、
記録紙に画像を形成する画像形成部とを備えた画像形成装置。
【発明の詳細な説明】
【技術分野】
【０００１】
本発明は、電子機器及び画像形成装置に関し、特に、タッチパネル式の表示部を動作異常から早期に復帰させる技術に関する。
【背景技術】
【０００２】
近時、プリンターや複合機等の画像形成装置といった電子機器の多くにタッチパネル式の表示部が実装されている。タッチパネル式の表示部は画像を表示するだけでなく、ユーザーによるタッチ操作を検知することができる。このような電子機器では、タッチパネル式の表示部にアイコンやボタンといったソフトキーが表示され、ユーザーは表示されたソフトキーをタッチ操作することで、当該タッチ操作が検出されて対応する指示を入力でき、当該指示に基づく動作を機器に行わせることができる。
【０００３】
一方、ハードキーとは異なりソフトキーは表示部に表示され、上記のように表示部に対するユーザーのタッチ操作を検出する必要がある。すなわち、ソフトキーを常時使用できるようにするには表示部を動作させておく必要がある。しかし、これは消費電力が大きくなるといった問題があるため、機器が一定時間以上使用されない場合には、当該機器を節電モード（スリープモード）に遷移させて、表示部を消灯状態等のスリープ状態にする制御が行われる。スリープモード中にユーザーが消灯状態の表示部に触れると、表示部はタッチパネルによりタッチ操作を検知して機器は通常動作モードに復帰する。この結果、表示部がスリープ状態から復帰して正常動作状態となり、表示画面のバックライトの再点灯等を行って、ソフトキーに対するタッチ操作を再び検出する状態になる（例えば、特許文献１を参照）。
【先行技術文献】
【特許文献】
【０００４】
【特許文献１】特開２０１０−３４６２６号公報
【発明の概要】
【発明が解決しようとする課題】
【０００５】
一般に、タッチパネル式の表示部は、表示部の画面表示を制御するとともに表示部に表示したキーに割り当てられた処理を実行する主制御部と、表示部に表示されたキーのうち、タッチパネルによりタッチ操作が検出されたキーを示す通知を主制御部に通知するパネル制御部とによって制御される。従って、パネル制御部が異常動作によりロック等してしまうと主制御部はパネル制御部から、検出されたキーを示す通知を受けることができなくなり、結果としてユーザーが表示部に表示されたキーを押下しても機器が反応しなくなる。そのようなパネル制御部の異常状態を解消するために、主制御部がパネル制御部にリセット信号を出力することで、パネル制御部に再起動動作を行わせる。
【０００６】
一方、表示部に表示したキーが押下されなければ、主制御部はパネル制御部からキー通知を受けない。かかる状況では、主制御部はパネル制御部が正常に動作しているのか、異常状態でロック等しているのかを知ることができないため、主制御部は、パネル制御部に対して予め定められた監視期間を設定して定期的（例えば３０秒ごと）に監視信号を送信している。この監視信号に対してパネル制御部から応答信号を受信できなければ、主制御部はパネル制御部が異常状態であると判断してリセット信号を出力する。
【０００７】
上記のように主制御部がパネル制御部を定期的に監視することで、パネル制御部が異常状態となってロック等しても、パネル制御部を再起動させることが可能であるが、パネル制御部を再起動できるタイミングは監視期間（例えば３０秒）毎にしか訪れないため、キーを押下しても機器が反応しない時間がしばらく続き、ユーザーの利便性を損ねるおそれがある。その反面、監視期間を短くしてパネル制御部の再起動開始までの待ち時間を短くすると、頻繁にパネル制御部に監視信号を送信する必要が生じるため、監視のための処理負荷が増えて好ましくない。
【０００８】
本発明は、上記の事情に鑑みなされたものであり、監視のための処理負荷を増やすことなくタッチパネル式の表示部の動作異常を早期に復帰させることを目的とする。
【課題を解決するための手段】
【０００９】
本発明の一局面に係る電子機器は、タッチパネル機能を有する表示部と、前記表示部に画像として表示された各キーに対するタッチ操作の有無を検出し、タッチ操作を検出した場合には、当該タッチ操作が行われたキーを示すキー押下信号を出力するキー検出回路と、前記キー検出回路から受け取ったキー押下信号を出力するパネル制御部と、前記表示部の画面表示を制御すると共に、受信した前記キー押下信号に従った動作を本電子機器に行わせる主制御部と、前記パネル制御部及び前記キー検出回路から出力される前記キー押下信号を受信すると共に、本電子機器の動作状態を示すモード信号を前記パネル制御部から受け取り、当該モード信号がスリープモードを示すときは、前記パネル制御部から出力される前記キー押下信号を前記主制御部に出力して、前記キー検出回路から出力される前記キー押下信号を前記主制御部に出力せず、当該モード信号が通常動作モードを示すときは、前記パネル制御部及び前記キー検出回路から出力される両方の前記キー押下信号を前記主制御部に出力する切換を行う切換回路とを備え、前記主制御部は、前記切換回路から前記キー押下信号を受信したときに、前記パネル制御部に対して即座に監視信号を出力し、当該監視信号に対する応答信号を前記パネル制御部から受信しないときは、前記パネル制御部にリセット信号を出力し、当該監視信号に対する応答信号を前記パネル制御部から受信したときは、前記受信した前記キー押下信号に従った動作を本電子機器に行わせ、前記パネル制御部は、前記主制御部から前記リセット信号を受信した時には再起動動作を行うものである。
【００１０】
また、本発明の一局面に係る画像形成装置は、上記電子機器と、記録紙に画像を形成する画像形成部とを備える。
【発明の効果】
【００１１】
本発明によれば、監視のための処理負荷を増やすことなくタッチパネル式の表示部の動作異常を早期に復帰させることができる。
【図面の簡単な説明】
【００１２】
【図１】画像形成装置の外観を示す斜視図である。
【図２】表示部に表示される操作画面の一例を示す図である。
【図３】操作部の内部構成の一例を示すブロック図である。
【図４】（Ａ）はスリープモード時の切換回路の動作を示す図であり、（Ｂ）は通常動作モード時の切換回路の動作を示す図である。
【図５】主制御部によるパネル制御部の再起動処理のフローチャートである。
【発明を実施するための形態】
【００１３】
以下、本発明の一実施形態に係る電子機器及び画像形成装置について図面を参照して説明する。図１は、本発明の一実施形態に係る画像形成装置の外観を示す斜視図である。
【００１４】
本発明の一実施形態に係る電子機器の一例としての画像形成装置１は、ファクシミリ機能、コピー機能、プリンター機能、及びスキャナー機能等の複数の機能を兼ね備えた複合機である。
【００１５】
操作部４７は、ユーザーが画像形成装置１に対する操作指示の入力、文字や数字等の情報の入力等を受け付ける。操作部４７は、ユーザーへの操作案内画面や各種機能の設定画面等を表示するタッチパネル式の表示部４７３を備えている。表示部４７３は、タッチパネルにより、表示部４７３に表示されたキーが押下されたことを検知し、画像形成装置１が有する各種機能の詳細項目の設定、各種機能の実行指示等を受け付ける。
【００１６】
画像形成装置１は、印刷対象データ等の画像形成を行う画像形成部と、制御ユニットとを備える。
【００１７】
制御ユニットは、プロセッサー、ＲＡＭ(Random Access Memory）、及びＲＯＭ（Read Only Memory）等から構成される。プロセッサーは、例えば、ＣＰＵ（Central Processing Unit）、ＭＰＵ（Micro Processing Unit）、又はＡＳＩＣ（Application Specific Integrated Circuit）等である
【００１８】
操作部４７は、画像形成装置１が実行可能な各種動作及び処理についてユーザーからの指示を受け付ける。操作部４７は、ユーザーへの操作案内等を表示する表示部４７３を備えている。表示部４７３には、タッチパネルを備える。
【００１９】
上記制御ユニットは、主制御部１００（図３）を備える。主制御部は１００、画像形成装置１の全体制御を司る。一例として、主制御部１００は、表示部４７３に表示すべき操作画面の画像を生成して表示部４７３に当該画像を表示させる。
【００２０】
図２は、表示部４７３に表示される操作画面の一例を示す図である。当該操作画面は画像形成装置１においてコピー機能を使用する場合に、主制御部１００による制御の下、表示部４７３に表示されるコピー操作画面である。コピー操作画面には、プレビューキーＫ１１、用紙選択キーＫ１２、拡大／縮小キーＫ１３、濃度キーＫ１４、両面／分割キーＫ１５、ページ集約キーＫ１６、原稿サイズキーＫ１７及びショートカットキーＫ１８といった各種キーが含まれる。ユーザーが所望のキーを押下すると、表示部４７３タッチパネルによりキーの押下を検出して、主制御部１００に対して、当該押下されたキーが示す通知を出力する。
【００２１】
図３は、操作部４７の内部構成の一例を示すブロック図である。操作部４７には、表示部４７３の他に、キー検出回路４７１、パネル制御部４７２、及び切換回路４７４が含まれる。
【００２２】
キー検出回路４７１は、タッチパネルの一部であり、表示部４７３に表示された画像としての各キーに対するユーザーによるタッチ操作が行われたか否かを検出して、当該キーに対するユーザーによるタッチ操作が行われたことを検出した場合には、当該タッチ操作が行われたキーを示すキー押下信号を出力する。キー検出回路４７１は、例えば、静電容量方式の回路が適用される。
【００２３】
静電容量方式のキー検出回路４７１は、表示部４７３の表示画面上にマトリックス状に配置されたセンサーに、指等が近付くことによって発生する静電容量値の変化を検出して、当該指等によりタッチ操作された当該表示画面上の位置を示す座標を検出する。例えば相互容量方式の場合、センサーを構成する電極の一方を送信側、他方を受信側とし、上記指等の接近によって、送信側と受信側の間に生じているカップリング容量値の減少量に基づいて、当該指等の接近、すなわちタッチ操作を検出する。
【００２４】
また、自己容量方式の場合、センサーの一方の電極を接地電位とし、接地された人体の指などが接近することによって生じる容量分がセンサーに加算されてその容量値が増加する現象に基づいてタッチ操作を検出する。
【００２５】
キー検出回路４７１は、例えば、図２に示した操作画面においてプレビューキーＫ１１が押下されると、プレビューキーＫ１１に対してタッチ操作が行われたことを検出して、当該プレビューキーＫ１１を示すキー押下信号を出力する。
【００２６】
パネル制御部４７２は、表示部４７３のキー検出回路４７１から入力される上記キー押下信号を、切換回路４７４を介して主制御部１００に出力する。主制御部１００は、パネル制御部４７２からキー押下信号を受けると、当該キー押下信号が示すキーに割り当てられた処理を実行する。例えば、主制御部１００は、パネル制御部４７２からキー押下信号によりプレビューキーＫ１１の押下が通知されると、プレビューキーＫ１１に割り当てられた処理として、プレビュー画面の画像データを生成して表示部４７３にプレビュー画面を表示させる処理を実行する。
【００２７】
また、パネル制御部４７２は、スリープモード時に、キー検出回路４７１からキー押下信号を受信すると、スリープモード解除信号を出力する。当該スリープモード解除信号は、主制御部１００に対して、画像形成装置１をスリープモードから通常動作モードへと遷移させることを要求する信号である。
【００２８】
主制御部１００は、画像形成装置１を、通常動作を行わせる通常動作モードと、必要最低限の機構しか動作させない省電力用のスリープモードのいずれかを選択して動作させる。主制御部１００は、画像形成装置１がユーザーにより一定時間以上操作されない場合に、画像形成装置１を通常動作モードからスリープモードに遷移させる。スリープモード中は、例えば、表示部４７３は消灯される。
【００２９】
一方、スリープモード中にユーザーが表示部４７３にタッチ操作すると画像形成装置１は通常動作モードに遷移する。より詳細には、ユーザーが表示部４７３にタッチするとキー検出回路４７１が当該タッチ操作を検出してキー押下信号をパネル制御部４７２に出力する。パネル制御部４７２は、キー検出回路４７１からキー押下信号を受信すると、表示部４７３を点灯させる。さらに、パネル制御部４７２は、スリープモード解除信号を主制御部１００に出力する。主制御部１００は、パネル制御部４７２からスリープモード解除信号を受信すると、画像形成装置１をスリープモードから通常動作モードに遷移させ、表示部４７３に通常動作を行わせる。
【００３０】
切換回路４７４は、内部に例えばスイッチ機構を備え、パネル制御部４７２からの指示に従って、キー検出回路４７１から当該切換回路４７４に入力されたキー押下信号を、主制御部１００に向けて出力するか否かを切り換える回路である。パネル制御部４７２から切換回路４７４に入力される上記指示としては、画像形成装置１の動作モード（通常動作モード又はスリープモード）を示すモード信号が用いられる。
【００３１】
通常動作モードでの画像形成装置１の動作時に、パネル制御部４７２は、キー検出回路４７１から受信したキー押下信号を、切換回路４７４を介して、主制御部１００に出力する。しかし、パネル制御部４７２が異常状態となってフリーズ等してしまうと、パネル制御部４７２は、キー検出回路４７１からのキー押下信号の受信、及びキー押下信号の主制御部１００への出力ができないため、主制御部１００は、パネル制御部４７２から当該キー押下信号を受信できなくなる。このため、結果としてユーザーが表示部４７３に表示されたキーを押下しても画像形成装置１が反応しないという事態が生じる。
【００３２】
パネル制御部４７２をこのような異常状態から解除するために、主制御部１００は、パネル制御部４７２に対して、予め定められた監視期間（例えば３０秒）を設定して、当該監視時間の経過毎に定期的に、図３に示すシリアル通信ラインＬ１により、シリアル通信で監視信号を送信する。この監視信号に対して主制御部１００がパネル制御部４７２から応答信号を受信できなければ、主制御部１００はパネル制御部４７２にリセット信号を出力して、パネル制御部４７２に再起動動作を行わせる。言い換えると、通常動作モード中にパネル制御部４７２が異常状態となってフリーズ等した場合、ユーザーが表示部４７３に表示されたキーを押下しても画像形成装置１は応答せず、その後しばらくして（長くして上記監視期間）、パネル制御部４７２が再起動した後に、操作部４７が操作を受け付けるようになる。
【００３３】
そこで、本実施形態では、画像形成装置１の通常動作モードでの動作時に、パネル制御部４７２をバイパスしてキー検出回路４７１からキー押下信号を主制御部１００に入力する構成を採用する。これにより、パネル制御部４７２が異常状態となってフリーズ等していても、操作部４７におけるキーが押下されたことを主制御部１００に入力されるようにし、主制御部１００が、当該キー押下信号を受信し、かつ、上記監視信号に対する応答信号をパネル制御部４７２から受信していないことを条件として、即座にパネル制御部４７２を再起動させる。
【００３４】
ただし、画像形成装置１がスリープモードの状態であるときは、ノイズ等により主制御部１００が誤って画像形成装置１を通常動作モードに遷移させないようにするため、画像形成装置１がスリープモードの状態であるときは、キー検出回路４７１から出力されるキー押下信号が主制御部１００に入力されないようにする必要がある。そのため、本実施形態では、パネル制御部４７２と主制御部１００との間であって、キー検出回路４７１と主制御部１００との間となる位置に、上記切換回路４７４が設けられている。
【００３５】
図４（Ａ）はスリープモード時の切換回路４７４の動作を示す図であり、図４（Ｂ）は通常動作モード時の切換回路４７４の動作を示す図である。
【００３６】
画像形成装置１がスリープモード状態にあるときには、パネル制御部４７２は、切換回路４７４に対して、スリープモードを示すモード信号を出力する。切換回路４７４は、当該スリープモードを示すモード信号に従って、図３に実線で示すように、キー検出回路４７１から受け取ったキー押下信号を主制御部１００に出力しないように、内部スイッチを切り換え、パネル制御部４７２から受け取ったキー押下信号を主制御部１００に出力するように、内部スイッチを切り換える。
【００３７】
一方、画像形成装置１が通常動作モード状態で動作しているときには、パネル制御部４７２は、切換回路４７４に対して、通常動作モードを示すモード信号を出力する。切換回路４７４は、当該通常動作モードを示すモード信号に従って、図３に破線で示すように、キー検出回路４７１及びパネル制御部４７２から受け取ったキー押下信号を主制御部１００に出力するように、内部スイッチを切り換える。
【００３８】
これにより、切換回路４７４は、図４（Ａ）に示すように、スリープモード時には、キー検出回路４７１から出力されるキー押下信号を主制御部１００に出力しない。一方、図４（Ｂ）に示すように、通常動作モード時には、切換回路４７４は、キー検出回路４７１から出力されるキー押下信号を主制御部１００に出力する。
【００３９】
次に、主制御部１００によるパネル制御部４７２の再起動処理について説明する。図５は、主制御部１００によるパネル制御部４７２の再起動処理のフローチャートである。
【００４０】
上述したように、画像形成装置１の通常動作モードでの動作時には、主制御部１００は、パネル制御部４７２又はキー検出回路４７１から出力されるキー押下信号を受信しているか否かを判断している（Ｓ１）。主制御部１００は、パネル制御部４７２又はキー検出回路４７１からキー押下信号を受信している場合は（Ｓ１でＹＥＳ）、当該キー押下信号が示すキーに割り当てられた処理を実行する（Ｓ１０）。
【００４１】
主制御部１００は、パネル制御部４７２又はキー検出回路４７１からキー押下信号を受信していない場合（Ｓ１でＮＯ）、監視信号を送信するタイミングの到来を計測するためにタイマーによる時間計測を開始する（Ｓ２）。なお、主制御部１００は、時間を計時するためのタイマー機能を有している。
【００４２】
主制御部１００は、上記時間計測により、予め定められた監視時間（例えば、３０秒）が計測されるまでに（Ｓ３でＮＯ，Ｓ４でＮＯ）、キー押下信号を受信したときは（Ｓ３でＹＥＳ）、即座にシリアル通信ラインＬ１を介してパネル制御部４７２に対して監視信号を出力する（Ｓ８）。
【００４３】
主制御部１００は、上記監視信号に対する応答信号をパネル制御部４７２から受信した場合は（Ｓ９でＹＥＳ）、当該キー押下信号が示すキーに割り当てられた処理を実行する（Ｓ１０）。
【００４４】
一方、主制御部１００は、上記応答信号をパネル制御部４７２から受信しない場合には（Ｓ９でＮＯ）、パネル制御部４７２に対してリセット信号を出力する（Ｓ７）。この場合、パネル制御部４７２が異常状態となってフリーズしている等により、切換回路４７４を通じてキー検出回路４７１からキー押下信号が主制御部１００に入力されていると考えられるため、パネル制御部４７２に再起動動作を行わせて、異常状態の解消を図る。この後、処理はリターンとなる。
【００４５】
このように、パネル制御部４７２をバイパスしてキー検出回路４７１のキー押下信号を主制御部１００に入力することで、主制御部１００は、キー検出回路４７１からのキー押下信号があること、及びパネル制御部４７２からの応答信号がないことに基づいて、主制御部１００は、パネル制御部４７２が異常状態にあるときには、監視時間の経過を待たずにパネル制御部４７２にリセット信号を出力して、即座にパネル制御部４７２を再起動させることができる。これにより、本実施形態によれば、監視のための処理負荷を増やすことなくタッチパネル式の表示部の動作異常を早期に復帰させることができる。
【００４６】
なお、主制御部１００は、上記時間計測により、予め定められた監視時間（例えば、３０秒）が計測されるまでに、キー押下信号を受信しなかった場合にも（Ｓ３でＮＯ，Ｓ４でＹＥＳ）、主制御部１００は、シリアル通信ラインＬ１により、パネル制御部４７２に対して監視信号を出力する（Ｓ５）。なお、このようにキー押下信号を受信できない理由としては、表示部４７３に表示されたキーが押下されなかった、又は、パネル制御部４７２が異常状態でフリーズ等している、のいずれかが考えられる。
【００４７】
主制御部１００は、上記監視信号に対する応答信号をパネル制御部４７２から受信した場合は（Ｓ６でＹＥＳ）、処理をＳ２に戻し、次の監視信号を送信するための時間計測を開始させる（Ｓ２）。この場合、パネル制御部４７２は正常に動作しており、表示部４７３に表示されたキーに対するユーザーによるタッチ操作がなかっただけであると考えられるためである。
【００４８】
これに対して、主制御部１００は、上記監視信号に対する応答信号をパネル制御部４７２から受信しない場合（Ｓ６でＮＯ）、パネル制御部４７２に対してリセット信号を出力する（Ｓ７）。この場合、パネル制御部４７２が異常状態となってフリーズしている等が考えられる。このため、パネル制御部４７２に再起動動作を行わせて、異常状態の解消を図る。この後、処理はリターンとなる。
【００４９】
本実施形態によれば、上述したように、監視のための処理負荷を増やすことなくタッチパネル式の表示部の動作異常を早期に復帰させることができることに加え、更に、切換回路４７４を設けてスリープモード中はキー検出回路４７１からのキー押下信号が主制御部１００に入力されないようにしたことで、主制御部１００が、ノイズ等を要因として、誤って画像形成装置１をスリープモードから通常動作モードに遷移することを防ぐことも可能である。
【００５０】
なお、本発明は上記実施の形態の構成に限られず種々の変形が可能である。例えば、パネル制御部４７２が出力するキー押下信号を、キー検出回路４７１が出力するキー押下信号とはパルス幅が異なる波形からなる信号としておき、主制御部１００は、切換回路４７４からキー押下信号を受信したとき、パネル制御部４７２に対する監視信号の出力及び応答信号の受信有無判断の処理を行わず、当該受信したキー押下信号のパルス幅に基づいて、当該キー押下信号がパネル制御部４７２からのものであると判断した場合は、当該キー押下信号に従った動作を画像形成装置１に行わせ、当該キー押下信号がキー検出回路４７１からのものであると判断した場合は、パネル制御部４７２に対してリセット信号を出力するようにしてもよい。
【００５１】
また、上記実施形態では、本発明に係る電子機器の一例として、画像形成装置を用いて説明しているが、これは一例に過ぎず、本発明に係る電子機器は、タッチパネルを有する表示部を備えた、モバイル機器、医療機器、券売機等といった機器でもよい。
【００５２】
また、図１乃至図５を用いて上記実施形態により示した構成及び処理は、本発明の一実施形態に過ぎず、本発明を当該構成及び処理に限定する趣旨ではない。
【符号の説明】
【００５３】
１        画像形成装置（電子機器）
１００    主制御部
４７１    キー検出回路
４７２    パネル制御部
４７３    表示部
４７４    切換回路
【図１】
2018041175.tif 000003
【図２】
2018041175.tif 000004
【図３】
2018041175.tif 000005
【図４】
2018041175.tif 000006
【図５】
2018041175.tif 000007